(57)【要約】【課題】簡素な構成により、狭い場所等でも容易に係合部付きループ型クランプを「開き状態」から「閉じ状態」に変形させることができる係合部付きループ型クランプの閉じ工具を提供する。【解決手段】閉じ工具１は、支点４を回動中心として組み合わされた第一レバー体２および第二レバー体３と、第一レバー体２の作用点に形成されて、「開き状態」にある係合部付きループ型クランプ１００の第一締結片１０２に穿孔された穴１０６に嵌合される穴嵌合部７と、第二レバー体３の作用点に形成されて、穴嵌合部７よりも長く延び、係合部付きループ型クランプ１００の第二締結片１０３に当接されるスライドエッジ部９と、を備えてなることを特徴とする。【選択図】図５
2014184508.tif 000002
【特許請求の範囲】
【請求項１】
帯状の金属板が折曲成形され、
長尺部材を保持するループ部と、
前記ループ部の両端に設けられた第一締結片および第二締結片と、
前記第一締結片の先端部に設けられた第一係合部と、
前記第二締結片の先端部に設けられて前記第一係合部に係合される第二係合部と、
前記第一締結片および前記第二締結片にそれぞれ穿設された穴と、を備えた係合部付きループ型クランプを、
前記第一係合部と前記第二係合部との係合が解除された「開き状態」から、前記第一係合部に前記第二係合部が係合された「閉じ状態」に変形させるための、係合部付きループ型クランプの閉じ工具であって、
支点と、
前記支点を回動中心として組み合わされた第一レバー体および第二レバー体と、
前記第一レバー体の作用点に形成されて、前記「開き状態」にある前記係合部付きループ型クランプの前記第一締結片の前記穴に嵌合される穴嵌合部と、
前記第二レバー体の作用点に形成されて、前記穴嵌合部よりも長く延び、前記係合部付きループ型クランプの前記第二締結片に当接されるスライドエッジ部と、を備えてなることを特徴とする係合部付きループ型クランプの閉じ工具。
【請求項２】
前記第一係合部は、その中間部が前記第一締結片の幅方向に離間した門形状であり、その離間間隔よりも、前記スライドエッジ部の幅を小さく設定したことを特徴とする請求項１に記載の係合部付きループ型クランプの閉じ工具。
【請求項３】
前記スライドエッジ部は、その先端部が、その基部と前記支点とを結ぶ線よりも前記穴嵌合部側に位置するように、湾曲または傾斜していることを特徴とする請求項１または２に記載の係合部付きループ型クランプの閉じ工具。
【請求項４】
帯状の金属板が折曲成形され、
長尺部材を保持するループ部と、
前記ループ部の両端に設けられた第一締結片および第二締結片と、
前記第一締結片の先端部に設けられた第一係合部と、
前記第二締結片の先端部に設けられて前記第一係合部に係合される第二係合部と、
前記第一締結片および前記第二締結片にそれぞれ穿設された穴と、を備えた係合部付きループ型クランプを、
前記第一係合部に前記第二係合部が係合された「閉じ状態」から、前記第一係合部と前記第二係合部との係合が解除された「開き状態」に変形させるための、係合部付きループ型クランプの開き工具であって、
支点と、
前記支点を回動中心として組み合わされた第一レバー体および第二レバー体と、
前記第一レバー体および前記第二レバー体の作用点に形成されて、前記「閉じ状態」にある前記係合部付きループ型クランプの前記第一締結片と前記第二締結片との間に入り込む楔部と、を備えてなることを特徴とする係合部付きループ型クランプの開き工具。
【請求項５】
帯状の金属板が折曲成形され、
長尺部材を保持するループ部と、
前記ループ部の両端に設けられた第一締結片および第二締結片と、
前記第一締結片の先端部に設けられた第一係合部と、
前記第二締結片の先端部に設けられて前記第一係合部に係合される第二係合部と、
前記第一締結片および前記第二締結片にそれぞれ穿設された穴と、を備えた係合部付きループ型クランプを、
前記第一係合部と前記第二係合部との係合が解除された「開き状態」から、前記第一係合部に前記第二係合部が係合された「閉じ状態」に変形させる、あるいは前記「閉じ状態」から前記「開き状態」に変形させるための、係合部付きループ型クランプの開閉工具であって、
支点と、
前記支点を回動中心として組み合わされた第一レバー体および第二レバー体と、
前記第一レバー体の作用点に形成されて、前記「開き状態」にある前記係合部付きループ型クランプの前記第一締結片の前記穴に嵌合される穴嵌合部と、
前記第二レバー体の作用点に形成されて、前記穴嵌合部よりも長く延び、前記係合部付きループ型クランプの前記第二締結片に当接されるスライドエッジ部と、
前記第一レバー体および前記第二レバー体の把持部の先端部に形成されて、前記「閉じ状態」にある前記係合部付きループ型クランプの前記第一締結片と前記第二締結片との間に入り込む楔部と、を備えてなることを特徴とする係合部付きループ型クランプの開閉工具。
【発明の詳細な説明】
【技術分野】
【０００１】
本発明は、配管等の長尺部材を構造物に固定するためのループ型クランプに係り、詳しくは先端に「閉じ状態」を維持するための係合部を有するループ型クランプを、「開き状態」から「閉じ状態」に変形させるための係合部付きループ型クランプの閉じ工具および開き工具ならびに開閉工具に関するものである。
【背景技術】
【０００２】
特許文献１の図１Ａや、特許文献２の図２等に開示されているように、帯状の金属板を略「Ｐ」字状に折り曲げて、配管類を保持するループ部と、このループ部を開閉するとともに、クランプを壁面等に固定するためのボルト穴を有する２枚の締結片とを有するループ型クランプがある。
このようなループ型クランプは、配管類を挿脱し易いように、自由状態（開き状態）では一対の締結片の間が大きく開いた状態となっている。このため、ループ型クランプの板厚が厚い場合にはループ部の反力が強く、この反力に抗して２枚の締結片を重ね合わせる（閉じ状態とする）のに大きな力が要り、ループ型クランプをボルト等で壁面等に固定する作業が困難である。
【０００３】
このため、特許文献２では、ループ型クランプの２枚の締結片を重ね合わせて「閉じ状態」とした状態で保持し、そのままボルト等での固定を可能にするクランプ取付けツールが提案されている。
あるいは、特許文献３では、ループ型クランプを下側バンドと上側バンドの２部材に分離し、両部材をヒンジ部で連結するとともに、下側バンドと上側バンドの先端部にロッキングタブを形成したものが提案されている。上側バンドは下側バンドに対してヒンジ部を中心にラジアル方向に開閉でき、しかもスラスト方向に首を振って、ロッキングタブの係脱を行うことができる。これにより、クランプ反力を無くして取り付けを容易にすることができる。
【０００４】
さらに、図１（Ａ），（Ｂ）に示す係合部付きループ型クランプ１００のように、配管部材Ｐのような長尺部材を保持するループ部１０１と、このループ部１０１の一端を延ばした第一締結片１０２と、ループ部１０１の他端を直角に屈曲させた第二締結片１０３とを備え、第一締結片１０２の先端部にアーチ状もしくは折り返し状の係合凹部１０４（第一係合部）が設けられ、第二締結片１０３の先端部に舌片状の係合凸部１０５（第二係合部）が設けられたものがある。第一締結片１０２と第二締結片１０３にはそれぞれボルト穴１０６，１０７（穴）が穿設されている。この図１（Ａ），（Ｂ）では、第一締結片１０２と第二締結片１０３とが離間した「開き状態」となっている。
【０００５】
図２（Ａ），（Ｂ）に示すように、この係合部付きループ型クランプ１００に配管部材Ｐを保持させて構造物Ｓに固定する際には、第一締結片１０２と第二締結片１０３とを重ね合わせて、係合凹部１０４と係合凸部１０５とを係合させた「閉じ状態」とし、この「閉じ状態」でボルト穴１０６，１０７にボルト１１０を挿通し、ボルト１１０を壁面Ｗのボルト穴Ｈに締結する。
【０００６】
この係合部付きループ型クランプ１００によれば、係合凹部１０４と係合凸部１０５とを係合させることによって、第一締結片１０２と第二締結片１０３とが重ね合わせられた「閉じ状態」を維持しながらボルト１１０で取り付けることができるため、取り付け作業が容易である。
しかも、ループ部１０１と、第一締結片１０２と、第二締結片１０３とが一体に形成されているため、特許文献３のループ型クランプのように、部品点数が多くなる煩わしさや、重量増となる懸念がない。
【０００７】
ところが、上記の係合部付きループ型クランプ１００の場合は、係合凹部１０４と係合凸部１０５とを有しているために、特許文献２に開示されているクランプ取付けツールを使用して「閉じ状態」にすることができない。
このため、図１５に示すような、専用の閉じ工具５１が用意されている。これは電気工事に用いる圧着ペンチに似た外観であり、支点５２を回動中心として略「Ｘ」字状に組み合わされた一対のレバー体５３，５４の先端部（作用点）に、それぞれ係合部付きループ型クランプ１００のボルト穴１０６，１０７に係合する係合突起５５，５６が設けられるとともに、レバー体５３，５４が強く握られた際に、一方の係合突起５５を他方の係合突起５６側にスライドさせる図示しないスライド機構が内蔵されている。
この閉じ工具５１を用いれば、係合部付きループ型クランプ１００が強い反力を有していても、これを「開き状態」から「閉じ状態」に容易に変形させ、係合凹部１０４と係合凸部１０５とを係合させることができる。
【先行技術文献】
【特許文献】
【０００８】
【特許文献１】特開２０１１−００７２５６号公報
【特許文献２】特開２０１２−２３６２７４号公報
【特許文献３】特表２０１２−５２６２５４号公報
【発明の概要】
【発明が解決しようとする課題】
【０００９】
しかしながら、上記の閉じ工具５１は、スライド機構が内蔵されている構造上、係合部付きループ型クランプ１００の大きさに比べてかなり大型にならざるを得ず、例えば狭い場所に係合部付きループ型クランプ１００を取り付けたい場合には使用が困難であり、場合によっては使用できないことがあった。その場合には、ロングノーズプライヤー等を代用して係合部付きループ型クランプ１００の係合凹部１０４と係合凸部１０５とを係合させることになるが、専用の形状ではないため、やはり使用が困難であり、作業時間が掛かったり、係合部付きループ型クランプ１００を破損させたりする虞があった。
【００１０】
また、上記の閉じ工具５１は、係合部付きループ型クランプ１００を「開き状態」から「閉じ状態」に変形させることはできても、逆に「閉じ状態」から「開き状態」に変形させることはできなかった。このため、係合部付きループ型クランプ１００を取り外す際には、係合凹部１０４を変形させる等して破壊しなければならず、健全な状態での再利用が不可能であった。
【００１１】
本発明は、上記の事情に鑑みてなされたものであり、簡素な構成により、狭い場所等でも容易に係合部付きループ型クランプを「開き状態」から「閉じ状態」に変形させることができる係合部付きループ型クランプの閉じ工具および開き工具ならびに開閉工具を提供することを目的とする。
【課題を解決するための手段】
【００１２】
上記課題を解決するために、本発明は以下の手段を採用する。
即ち、本発明に係る係合部付きループ型クランプの閉じ工具は、帯状の金属板が折曲成形され、長尺部材を保持するループ部と、前記ループ部の両端に設けられた第一締結片および第二締結片と、前記第一締結片の先端部に設けられた第一係合部と、前記第二締結片の先端部に設けられて前記第一係合部に係合される第二係合部と、前記第一締結片および前記第二締結片にそれぞれ穿設された穴と、を備えた係合部付きループ型クランプを、前記第一係合部と前記第二係合部との係合が解除された「開き状態」から、前記第一係合部に前記第二係合部が係合された「閉じ状態」に変形させるための、係合部付きループ型クランプの閉じ工具であって、支点と、前記支点を回動中心として組み合わされた第一レバー体および第二レバー体と、前記第一レバー体の作用点に形成されて、前記「開き状態」にある前記係合部付きループ型クランプの前記第一締結片の前記穴に嵌合される穴嵌合部と、前記第二レバー体の作用点に形成されて、前記穴嵌合部よりも長く延び、前記係合部付きループ型クランプの前記第二締結片に当接されるスライドエッジ部と、を備えてなることを特徴とする。
【００１３】
上記構成の係合部付きループ型クランプの閉じ工具を使用して係合部付きループ型クランプを「開き状態」から「閉じ状態」に変形させる場合には、第一レバー体の穴嵌合部を係合部付きループ型クランプの第一締結片の穴に嵌合させるとともに、第二レバー体のスライドエッジ部を第二締結片に当てがい、この状態で第一レバー体と第二レバー体を握る。
【００１４】
これにより、第二締結片が、第一締結片側に近付けられるとともにループ部側に押し込まれる。これは、第二締結片に対して斜めに当接するスライドエッジ部が、第二締結片を第一締結片側に押圧する分力と、第二締結片をループ部側に押圧する分力とを発生させるからである。
そして、さらに第一レバー体と第二レバー体を握り込むことにより、第二締結片が、スライドエッジ部の先端側から基端側に向かってスライドし、第二締結片の第二係合部が第一締結片の第一係合部に係合して、係合部付きループ型クランプが「閉じ状態」に変形する。
【００１５】
この閉じ工具は、スライド機構等を内蔵していない簡素でスリムな構造であるため、機材類が立て込んだ狭い場所等においても容易に係合部付きループ型クランプを「開き状態」から「閉じ状態」に変形させることができる。
【００１６】
上記構成において、前記第一係合部は、その中間部が前記第一締結片の幅方向に離間した門形状であり、その離間間隔よりも、前記スライドエッジ部の幅を小さく設定するのが好ましい。
【００１７】
上記構成の係合部付きループ型クランプの閉じ工具によれば、スライドエッジ部によって押圧された第二締結片の第二係合部が第一締結片の第一係合部に係合する間際において、スライドエッジ部が門型に形成された第一係合部に干渉しない。このため、スライドエッジ部によって第二係合部を最後まで押圧して第一係合部に係合させることができ、係合部付きループ型クランプを容易に「閉じ状態」に変形させることができる。
【００１８】
上記構成において、前記スライドエッジ部は、その先端部が、その基部と前記支点とを結ぶ線よりも前記穴嵌合部側に位置するように、湾曲または傾斜していることが好ましい。
【００１９】
上記のようにスライドエッジ部を湾曲または傾斜させることにより、スライドエッジ部が第二締結片（第二係合部）に当接する時の傾斜角度が浅くなる。
このため、スライドエッジ部が第二締結片の第二係合部に付与する２つの分力のうち、第二締結片を第一締結片側に押圧する分力の割合を、第二締結片をループ部側に押圧する分力の割合よりも大きくすることができる。
これにより、ループ型クランプの反力が強くても容易に「閉じ状態」にすることができる。
しかも、第二締結片（第二係合部）がスライドエッジ部に沿ってスライドし易くなるため、スライドエッジ部の摩耗を防止することができる。
【００２０】
また、本発明に係る係合部付きループ型クランプの開き工具は、帯状の金属板が折曲成形され、長尺部材を保持するループ部と、前記ループ部の両端に設けられた第一締結片および第二締結片と、前記第一締結片の先端部に設けられた第一係合部と、前記第二締結片の先端部に設けられて前記第一係合部に係合される第二係合部と、前記第一締結片および前記第二締結片にそれぞれ穿設された穴と、を備えた係合部付きループ型クランプを、前記第一係合部に前記第二係合部が係合された「閉じ状態」から、前記第一係合部と前記第二係合部との係合が解除された「開き状態」に変形させるための、係合部付きループ型クランプの閉じ工具であって、支点と、前記支点を回動中心として組み合わされた第一レバー体および第二レバー体と、前記第一レバー体および前記第二レバー体の作用点に形成されて、前記「閉じ状態」にある前記係合部付きループ型クランプの前記第一締結片と前記第二締結片との間に入り込む楔部と、を備えてなることを特徴とする。
【００２１】
上記構成の係合部付きループ型クランプの開き工具を使用して係合部付きループ型クランプを「閉じ状態」から「開き状態」に変形させる場合には、第一レバー体と第二レバー体に設けられた楔部を、係合部付きループ型クランプの第一締結片と第二締結片との間に食い込ませるようにして、第一レバー体と第二レバー体を握る。
【００２２】
これにより、楔部が第一締結片と第二締結片との間に食い込み、両方の締結片を引き離す方向に力が加わるため、第一締結片に設けられた第一係合部から、第二締結片に設けられた第二係合部が抜け、係合部付きループ型クランプが「開き状態」となる。
通常、「閉じ状態」にある係合部付きループ型クランプの第一締結片と第二締結片との間には、ループ部の反力により、先端の係合部から離れるにしたがって広くなるテーパー状の隙間が形成されるため、この隙間に開き工具の楔部を挿し込むのは容易である。
【００２３】
この閉じ工具は、開き工具と同じく、スライド機構等を内蔵していない簡素でスリムな構造であるため、機材類が立て込んだ狭い場所等においても容易に係合部付きループ型クランプを「閉じ状態」から「開き状態」に変形させることができる。
しかも、第一係合部や第二係合部を破壊することなく係合を解除できるため、係合部付きループ型クランプを健全な状態で何度でも再利用することができる。
【００２４】
また、本発明に係る係合部付きループ型クランプの開閉工具は、帯状の金属板が折曲成形され、長尺部材を保持するループ部と、前記ループ部の両端に設けられた第一締結片および第二締結片と、前記第一締結片の先端部に設けられた第一係合部と、前記第二締結片の先端部に設けられて前記第一係合部に係合される第二係合部と、前記第一締結片および前記第二締結片にそれぞれ穿設された穴と、を備えた係合部付きループ型クランプを、前記第一係合部と前記第二係合部との係合が解除された「開き状態」から、前記第一係合部に前記第二係合部が係合された「閉じ状態」に変形させる、あるいは「閉じ状態」から「開き状態」に変形させるための、係合部付きループ型クランプの開閉工具であって、支点と、前記支点を回動中心として組み合わされた第一レバー体および第二レバー体と、前記第一レバー体の作用点に形成されて、前記「開き状態」にある前記係合部付きループ型クランプの前記第一締結片の前記穴に嵌合される穴嵌合部と、前記第二レバー体の作用点に形成されて、前記穴嵌合部よりも長く延び、前記係合部付きループ型クランプの前記第二締結片の先端に当接されるスライドエッジ部と、前記第一レバー体および前記第二レバー体の力点側の先端部に形成されて、前記「閉じ状態」にある前記係合部付きループ型クランプの前記第一締結片と前記第二締結片との間に入り込む楔部と、を備えてなることを特徴とする。
【００２５】
上記構成の開閉工具によれば、前述の閉じ工具の機能と、開き工具の機能とを兼ね備えることができる。このため、より一層簡素な構成により、係合部付きループ型クランプを「開き状態」から「閉じ状態」に、あるいは「閉じ状態」から「開き状態」に変形させることができる。
【発明の効果】
【００２６】
以上のように、本発明に係る係合部付きループ型クランプの閉じ工具および開き工具ならびに開閉工具によれば、簡素な構成により、狭い場所等でも容易に係合部付きループ型クランプを「開き状態」から「閉じ状態」に、あるいは「閉じ状態」から「開き状態」に変形させることができる。
【図面の簡単な説明】
【００２７】
【図１】「開き状態」にある係合部付きループ型クランプを示す図であり、（Ａ）は正面図、（Ｂ）は（Ａ）のIB矢視による側面図である。
【図２】「閉じ状態」にある係合部付きループ型クランプを示す図であり、（Ａ）は正面図、（Ｂ）は（Ａ）のIIB矢視による側面図である。
【図３】閉じ工具の第１実施形態を示す図であり、（Ａ）は正面図、（Ｂ）は（Ａ）のIIIB矢視図、（Ｃ）は（Ａ）のIIIC矢視図である。
【図４】図３（Ａ）のIV矢視による平面図である。
【図５】閉じ工具の使用状況を示す図である。
【図６】閉じ工具の使用状況を示す図である。
【図７】閉じ工具の使用状況を示す図である。
【図８】閉じ工具の使用状況を示す図である。
【図９】閉じ工具の第２実施形態を示す正面図である。
【図１０】閉じ工具の使用状況を示す図である。
【図１１】開き工具の実施形態を示す正面図である。
【図１２】開き工具の使用状況を示す図であり、（Ａ）は係合部付きループ型クランプの開放前、（Ｂ）は係合部付きループ型クランプの開放後を示す図である。
【図１３】「閉じ状態」にある係合部付きループ型クランプの第一締結片と第二締結片との間のテーパー状の隙間を示す図である。
【図１４】開閉工具の実施形態を示す正面図である。
【図１５】従来の閉じ工具を示す正面図である。
【発明を実施するための形態】
【００２８】
以下に、本発明の実施形態について、図面を参照しながら説明する。
【００２９】
［閉じ工具の第１実施形態］
図３（Ａ），（Ｂ），（Ｃ）は、閉じ工具の第１実施形態を示す正面図および両側面図であり、図４は閉じ工具の平面図である。
この閉じ工具１は、基本形状がロングノーズプライヤーと類似しており、第一レバー体２と第二レバー体３とが支点４を回動中心として「Ｘ」字状に組み合わされている。第一レバー体２と第二レバー体３の力点側はグリップラバーで覆われた把持部５となっている。
【００３０】
第一レバー体２の作用点には穴嵌合部７が形成されている。この穴嵌合部７は、図５に示すように、「開き状態」にある係合部付きループ型クランプ１００の第一締結片１０２のボルト穴１０６に嵌合されるものである。穴嵌合部７は鉤状（切欠き状）の形状を有し、ボルト穴１０６に嵌合された際に、ボルト穴１０６から容易に外れないように形成されている。
【００３１】
一方、第二レバー体３の作用点にはスライドエッジ部９が設けられている。このスライドエッジ部９は、穴嵌合部７よりも長く延び、第二レバー体３の厚みよりも大幅に薄い板状に形成されている。例えば、ロングノーズプライヤーの先端の両面を削って薄くしたようになっている。そして、このスライドエッジ部９は、「開き状態」にある係合部付きループ型クランプ１００の第二締結片１０３の係合凸部１０５の先端に当接される（図５参照）。
【００３２】
ところで、図１に示すように、係合部付きループ型クランプ１００の第一係合部である係合凹部１０４は、第一締結片１０２の幅方向に中間部が離間した門形状であり、その離間間隔はＷ１である。また、第二係合部である係合凸部１０５の幅はＷ２であり、係合凸部１０５が係合凹部１０４から外れないようにＷ１＜Ｗ２となっている。一方、スライドエッジ部９の幅Ｗ３（図３（Ｃ）参照）は、Ｗ１よりも小さく設定されている。
【００３３】
以上のように構成された閉じ工具１を用いて、係合部付きループ型クランプ１００を「開き状態」から「閉じ状態」に変形させるためには、まず、図５に示すように、第一レバー体２の穴嵌合部７を係合部付きループ型クランプ１００の第一締結片１０２のボルト穴１０６に係合させるとともに、第二レバー体３のスライドエッジ部９を第二締結片１０３の係合凸部１０５の先端に当接させる。そして、この状態で第一レバー体２と第二レバー体３の把持部５を握る。
【００３４】
これにより、図５中に拡大して示すように、第二締結片１０３が、第一締結片１０２側に近付けられるとともにループ部１０１側に押し込まれる。これは、第二締結片１０３の先端部（係合凸部１０５）に対して斜めに当接するスライドエッジ部９が、第二締結片１０３を第一締結片１０２側に押圧する分力Ｆ１と、第二締結片１０３をループ部１０１側に押圧する分力Ｆ２とを発生させるからである。
【００３５】
そして、さらに第一レバー体２と第二レバー体３を握り込むことにより、図６中に矢印ａで示すように、第二締結片１０３の先端の係合凸部１０５が、スライドエッジ部９の先端側から基端側に向かってスライドする。この時には、図６中に矢印ｂで示す方向に閉じ工具１を回動させると、スライドエッジ部９が第二締結片１０３を第一締結片１０２側に押圧する分力Ｆ１（図５参照）が大きくなり、後述する係合凸部１０５と係合凹部１０４との係合を容易にすることができる。
【００３６】
次に、図７に示すように第一締結片１０２と第二締結片１０３とが接触し、さらに図８に示すように係合凸部１０５が係合凹部１０４に係合し、係合部付きループ型クランプ１００が「閉じ状態」に変形する。このため、第一レバー体２と第二レバー体３を握る力を緩めても、係合部付きループ型クランプ１００が「開き状態」に戻ることはない。その後、第一レバー体２の穴嵌合部７をボルト穴１０６から外し、位置が整合したボルト穴１０６，１０７にボルトを通して係合部付きループ型クランプ１００を構造物に固定する。
【００３７】
この閉じ工具１は、スライド機構等を内蔵していない簡素でスリムな構造であるため、機材類が立て込んだ狭い場所等においても容易に係合部付きループ型クランプ１００を「開き状態」から「閉じ状態」に変形させることができる。
【００３８】
また、スライドエッジ部９の幅Ｗ３（図３（Ｃ）参照）が、係合凹部１０４の門形状の離間間隔はＷ１（図１（Ｂ）参照）よりも小さく設定されているため、図７中の拡大図に示すように、係合凸部１０５がスライドエッジ部９に押圧されて係合凹部１０４に係合する間際において、スライドエッジ部９が門型に形成された係合凹部１０４に干渉しない。このため、スライドエッジ部９によって係合凸部１０５を最後まで押圧して係合凹部１０４に確実に係合させることができ、係合部付きループ型クランプ１００を容易に「閉じ状態」に変形させることができる。
【００３９】
［閉じ工具の第２実施形態］
図９は、閉じ工具の第２実施形態を示す正面図である。
ここに示す閉じ工具１１は、スライドエッジ部９の形状以外は図３に示す閉じ工具１と同じ構成であるため、各部に同一符号を付して説明を省略する。
【００４０】
この閉じ工具１１において、スライドエッジ部９は、その先端部９ａが、その基部９ｂと支点４とを結ぶ線Ｌよりも穴嵌合部７側に位置するように、湾曲している。スライドエッジ部９を湾曲させる代わりに、基部９ｂの位置で屈折させて傾斜させてもよい。
【００４１】
このようにスライドエッジ部９を湾曲または傾斜させることにより、図１０に示すように、スライドエッジ部９が第二締結片１０３の先端部（係合凸部１０５）に当接する時の傾斜角度θが浅くなる。
このため、スライドエッジ部９が係合凸部１０５に付与する２つの分力Ｆ１，Ｆ２（図５参照）のうち、第二締結片１０３を第一締結片１０２側に押圧する分力Ｆ１の割合を、第二締結片１０３をループ部１０１側に押圧する分力Ｆ２の割合よりも大きくすることができ、これによりループ型クランプ１００の反力が強くても容易に「閉じ状態」にすることができる。
しかも、第二締結片１０３の先端部（係合凸部１０５）がスライドエッジ部９に沿ってスライドし易くなるため、スライドエッジ部９の摩耗を防止することができる。
【００４２】
［開き工具の実施形態］
図１１は、開き工具の実施形態を示す正面図である。
この開き工具２１はプライヤー状の基本形状を有し、第一レバー体２２と第二レバー体２３とが支点２４を回動中心として「Ｘ」字状に組み合わされている。第一レバー体２２と第二レバー体２３の力点側は把持部２５となっている。
【００４３】
第一レバー体２２および第二レバー体２３の作用点には、それぞれ楔部２７が形成されている。これらの楔部２７は、あたかもニッパーの刃のように対向しており、その間に所定の間隔が設けられている。
【００４４】
このように構成された開き工具２１を用いて、係合部付きループ型クランプ１００を「閉じ状態」から「開き状態」に変形させるためには、図１２（Ａ）に示すように、第一レバー体２２と第二レバー体２３の楔部２７を、それぞれ係合部付きループ型クランプ１００の第一締結片１０２と第二締結片１０３との間に食い込ませるようにして、第一レバー体２２と第二レバー体２３を握る。
【００４５】
これにより、楔部２７が第一締結片１０２と第二締結片１０３との間に食い込み、両方の締結片１０２，１０３を引き離す方向に力が加わるため、図１２（Ｂ）に示すように、第一締結片１０２に設けられた係合凹部１０４から、第二締結片１０３に設けられた係合凸部１０５が抜け、係合部付きループ型クランプ１００が「開き状態」となる。
【００４６】
図１３に示すように、「閉じ状態」にある係合部付きループ型クランプ１００の第一締結片１０２と第二締結片１０３との間には、ループ部１０１の反力により、先端の係合部１０４，１０５から離れるにしたがって広くなるテーパー状の隙間Ｄが形成される。そのため、この隙間Ｄに開き工具２１の楔部２７を挿し込むのは容易である。
【００４７】
この閉じ工具２１は、開き工具１と同じく、スライド機構等を内蔵していない簡素な構造であるため、機材類が立て込んだ狭い場所等でも容易に係合部付きループ型クランプ１００を「閉じ状態」から「開き状態」に変形させることができる。
しかも、係合凹部１０４や係合凸部１０５を破壊することなく係合を解除できるため、係合部付きループ型クランプ１００を健全な状態で何度でも再利用することができる。
【００４８】
［開閉工具の実施形態］
図１４は、開閉工具の実施形態を示す正面図である。
この開閉工具３１は、把持部５の先端部（後端部）に楔部３２が形成されている点以外は図３に示す閉じ工具１と同じ構成であるため、各部に同一符号を付して説明を省略する。
【００４９】
楔部３２は、図１１に示す開き工具２１の楔部２７と同じく、ニッパーの刃のように対向しており、その間に所定の間隔が設けられている。この楔部３２を、「閉じ状態」にある係合部付きループ型クランプ１００の第一締結片１０２と第二締結片１０３との間に食い込ませるようにして、把持部５を握ることにより、図１１に示す開き工具２１と同様に、係合部付きループ型クランプ１００を「閉じ状態」から「開き状態」に変形させることができる。逆に「開き状態」から「閉じ状態」に変形させる場合の使い方は図３に示す閉じ工具１と同様である。
【００５０】
上記構成の開閉工具３１によれば、閉じ工具の機能と開き工具の機能とを兼ね備えることができる。このため、より一層簡素な構成により、係合部付きループ型クランプ１００を「開き状態」から「閉じ状態」に、あるいは「閉じ状態」から「開き状態」に変形させることができる。
【００５１】
なお、本発明は上記実施形態の構成のみに限定されるものではなく、本発明の要旨を逸脱しない範囲内において適宜変更や改良を加えることができ、このように変更や改良を加えた実施形態も本発明の権利範囲に含まれるものとする。
【符号の説明】
【００５２】
１，１１  閉じ工具
２  第一レバー体
３  第二レバー体
４  支点
５  把持部
７  穴嵌合部
９  スライドエッジ部
９ａ  スライドエッジ部の先端部
９ｂ  スライドエッジ部の基部
２１  開き工具
２２  第一レバー体
２３  第二レバー体
２４  支点
２７  楔部
３１  開閉工具
３２  楔部
１００  係合部付きループ型クランプ
１０１  ループ部
１０２  第一締結片
１０３  第二締結片
１０４  係合凹部（第一係合部）
１０５  係合凸部（第二係合部）
１０６，１０７  ボルト穴（穴）
Ｌ  スライドエッジ部の基部と支点とを結ぶ線
Ｐ  配管部材（長尺部材）
Ｗ１  係合凹部の門形状の離間間隔
Ｗ２  係合凸部の幅
Ｗ３  スライドエッジ部の幅
【図１】
2014184508.tif 000003
【図２】
2014184508.tif 000004
【図３】
2014184508.tif 000005
【図４】
2014184508.tif 000006
【図５】
2014184508.tif 000007
【図６】
2014184508.tif 000008
【図７】
2014184508.tif 000009
【図８】
2014184508.tif 000010
【図９】
2014184508.tif 000011
【図１０】
2014184508.tif 000012
【図１１】
2014184508.tif 000013
【図１２】
2014184508.tif 000014
【図１３】
2014184508.tif 000015
【図１４】
2014184508.tif 000016
【図１５】
2014184508.tif 000017